(57)【要約】【課題】部品の種類を増やさずに、ループリングが鉛直面内に位置するプレーンスタイルの遮蔽材とループリングが水平面内に位置するシャープスタイルの遮蔽材の両方に兼用する。【解決手段】遮蔽材１１の昇降コード１３用ガイドリング３０は、遮蔽材１１に取付けられたループリング１１ｂに嵌入される嵌入リング部３１と、昇降コード１３が遊挿される遊挿リング部３２と、遊挿リング部３２を嵌入リング部３１に離脱可能に係合させる係合部３３とを備える。係合部３３は、遊挿リング部３２を含む平面が、嵌入リング部３１を含む平面に対して、嵌入リング部３１及び遊挿リング部３２の各リング孔の中央を通る直線を中心に回転し、両平面が一致する第１係合状態と、両平面が直交する第２係合状態とに切換え可能に構成される。【選択図】図１
2015202299.tif 000002
【特許請求の範囲】
【請求項１】
遮蔽材に取付けられたループリングに嵌入される嵌入リング部と、昇降コードが遊挿される遊挿リング部と、前記遊挿リング部を前記嵌入リング部に離脱可能に係合させる係合部とを備えた遮蔽材の昇降コード用ガイドリングにおいて、
前記係合部は、前記遊挿リング部を含む平面が、前記嵌入リング部を含む平面に対して、前記嵌入リング部及び前記遊挿リング部の各リング孔の中央を通る直線を中心に回転し、両平面が一致する第１係合状態と、両平面が直交する第２係合状態とに切換え可能に構成されたことを特徴とする遮蔽材の昇降コード用ガイドリング。
【請求項２】
前記係合部が、前記遊挿リング部又は前記嵌入リング部と一体的に設けられた円柱体と、前記嵌入リング部又は前記遊挿リング部と一体的に設けられ前記円柱体を収容可能な円柱状の凹部が形成された凹状体と、前記凹状体の周壁にこの凹状体の軸線を中心として９０度間隔に形成された４つの被係止孔と、前記円柱体の外周面に突設され前記４つの被係止孔に選択的にかつ離脱可能に係止する一対の係止突起とを有する請求項１記載の遮蔽材の昇降コード用ガイドリング。
【請求項３】
前記円柱体を半月状の一対のブロックに分割して前記一対の係止突起を前記一対のブロックの円弧面中央にそれぞれ位置させる切欠き部が前記円柱体に形成され、前記切欠き部に前記一対の係止突起の合計高さ以上の幅を有する隙間が形成された請求項２記載の遮蔽材の昇降コード用ガイドリング。
【発明の詳細な説明】
【技術分野】
【０００１】
本発明は、ヘッドレールに遮蔽材の上端を取付けたローマンシェードに用いられるガイドリングに関する。更に詳しくは、ヘッドレールから垂下された昇降コードを遊挿し、昇降コードを遮蔽材の背面に沿うように案内するガイドリングに関するものである。
【背景技術】
【０００２】
従来、ヘッドボックスから垂下される遮蔽材（生地）の下端部に昇降コードが取付けられ、この昇降コードをヘッドボックス内の巻取軸により操作することにより遮蔽材を昇降可能とした日射遮蔽装置において、昇降コードの下端がコードキャッチ（連結部材）を介して遮蔽材の下端部に取付けられた遮蔽材昇降装置が開示されている（例えば、特許文献１参照。）。この日射遮蔽装置の遮蔽材昇降装置では、コードキャッチが遮蔽材の下端部に取付けられるフック部（第一の連結部材）と昇降コードの下端に取付けられるコード受け部（第二の連結部材）とにより構成され、フック部とコード受け部はフック部に作用する遮蔽材の質量を超える引っ張り力で外れる保持手段で保持される。また遮蔽材にガイド部材が取付けられ、昇降コードがガイド部材に挿通されて遮蔽材に沿って移動可能に構成される。上記ガイド部材は、遮蔽材に取付けられるベース部材と、昇降コードが挿通されるコード保持部材とにより構成され、コード保持部材がベース部材に弾性的に着脱可能に構成される。更にベース部材とコード保持部材が合成樹脂で成形され、ベース部材又はコード保持部材のいずれか一方に丸軸部が設けられ、他方に丸軸部に嵌合される嵌合部が設けられる。なお、ベース部材の基端部には長円状の透孔が形成され、ベース部材の基端部が透孔を使用して遮蔽材に縫着される。また、コード保持部材の基端部にはベース部材の基端部と同様の透孔が形成され、この透孔に昇降コードが挿通される。
【０００３】
このように構成された日射遮蔽装置の遮蔽材昇降蔵置では、巻取軸を昇降コードの巻き戻し方向に回転させると、昇降コードが巻取軸から巻き戻され、昇降コードがガイド部材に案内されながら下方へ移動して、コードキャッチが下降する。この結果、遮蔽材（生地）の下端部が下降して、遮蔽材がヘッドボックスから吊下げられた状態で支持される。また遮蔽材が下限近傍まで下降している状態で、居住者が遮蔽材の背面側を移動するような場合、昇降コードが居住者に引っ掛かると、昇降コードに作用する引っ張り力により、コードキャッチのコード受け部とフック部の嵌合が外れ、同時にガイド部材のベース部材とコード保持部材との嵌合が外れる。この結果、居住者が昇降コードに引っ掛かっても、その挙動が妨げられないようになっている。
【先行技術文献】
【特許文献】
【０００４】
【特許文献１】特開２０１２−７４１９号公報（請求項１及び３〜５、段落［００２７］〜［００２９］、［００３４］、［００３５］、図１、図２、図５〜図８）
【発明の概要】
【発明が解決しようとする課題】
【０００５】
日射遮蔽装置の遮蔽材、具体的にはローマンシェードの遮蔽材（生地）には、昇降コードを上昇させると、フラットな遮蔽材の面がほぼ一定の横ヒダを作りながら遮蔽材がたたみ上げられるプレーンスタイルの遮蔽材や、昇降コードを上昇させると、鉛直方向に所定の間隔をあけかつ水平方向に延びて縫い付けられたテープにより、同一形状に整列した横ヒダを作りながら遮蔽材がたたみ上げられるシャープスタイルの遮蔽材等がある。また、ガイド部材のベース部材を遮蔽材に取付ける方法としては、上述のようにベース部材の基端部に形成された透孔を使用して遮蔽材に縫着する方法と、予め遮蔽材にループリングを設けておき、このループリングにガイド部材のベース部材を嵌入する方法がある。後者の場合、プレーンスタイルの遮蔽材では、ループリングが鉛直面内に位置するように形成されるのに対し、シャープスタイルの遮蔽材では、ループリングが水平面内に位置するように形成される。
【０００６】
しかし、上記従来の特許文献１に示された日射遮蔽装置の遮蔽材昇降装置では、予め遮蔽材にループリングを設けた場合、ガイド部材のベース部材の透孔を含む面とコード保持部材の透孔を含む面が同一平面上に位置するため、このガイド部材を、ループリングが鉛直面内に位置するプレーンスタイルの遮蔽材に用いることができるけれども、ループリングが水平面内に位置するシャープスタイルの遮蔽材には用いることができない不具合があった。このため、プレーンスタイルの遮蔽材に用いるガイド部材と、シャープスタイルの遮蔽材に用いるガイド部材の２種類用意しなければならず、部品点数が増大し、部品管理が煩わしくなる問題点があった。
【０００７】
本発明の第１の目的は、部品の種類を増やさずに、ループリングが鉛直面内に位置するプレーンスタイルの遮蔽材とループリングが水平面内に位置するシャープスタイルの遮蔽材の両方に兼用できる、遮蔽材の昇降コード用ガイドリングを提供することにある。本発明の第２の目的は、昇降コードの通常の昇降動作時に、遊挿リング部が嵌入リング部から容易に離脱せず、昇降コードを遮蔽材から離す方向の所定値以上の荷重が昇降コードに作用したときに、遊挿リング部が嵌入リング部から速やかに離脱できる、遮蔽材の昇降コード用ガイドリングを提供することにある。
【課題を解決するための手段】
【０００８】
本発明の第１の観点は、図１及び図６に示すように、遮蔽材１１，２１に取付けられたループリング１１ｂ，２１ｂに嵌入される嵌入リング部３１と、昇降コード１３が遊挿される遊挿リング部３２と、遊挿リング部３２を嵌入リング部３１に離脱可能に係合させる係合部３３とを備えた遮蔽材の昇降コード用ガイドリングにおいて、係合部３３は、遊挿リング部３２を含む平面が、嵌入リング部３１を含む平面に対して、嵌入リング部３１及び遊挿リング部３２の各リング孔の中央を通る直線を中心に回転し、両平面が一致する第１係合状態と、両平面が直交する第２係合状態とに切換え可能に構成されたことを特徴とする。
【０００９】
本発明の第２の観点は、第１の観点に基づく発明であって、更に図１及び図２に示すように、係合部３３が、遊挿リング部３２又は嵌入リング部３１と一体的に設けられた円柱体３４と、嵌入リング部３１又は遊挿リング部３２と一体的に設けられ円柱体３４を収容可能な円柱状の凹部３５ａが形成された凹状体３５と、凹状体３５の周壁にこの凹状体３５の軸線を中心として９０度間隔に形成された４つの被係止孔３５ｂと、円柱体３４の外周面に突設され４つの被係止孔３５ｂに選択的にかつ離脱可能に係止する一対の係止突起３４ａ，３４ａとを有することを特徴とする。
【００１０】
本発明の第３の観点は、第２の観点に基づく発明であって、更に図１及び図２に示すように、円柱体３４を半月状の一対のブロックに分割して一対の係止突起３４ａ，３４ａを一対のブロックの円弧面中央にそれぞれ位置させる切欠き部３４ｂが円柱体３４に形成され、この切欠き部３４ｂに一対の係止突起３４ａ，３４ａの合計高さ以上の幅を有する隙間３４ｃが形成されたことを特徴とする。
【発明の効果】
【００１１】
本発明の第１の観点のガイドリングでは、係合部を、遊挿リング部を含む平面が、嵌入リング部を含む平面に対して、嵌入リング部及び遊挿リング部の各リング孔の中央を通る直線を中心に回転し、両平面が一致する第１係合状態と、両平面が直交する第２係合状態とに切換え可能に構成したので、ループリングが鉛直面内に位置するプレーンスタイルの遮蔽材に本発明のガイドリングを用いる場合には、遊挿リング部を嵌入リング部に第１係合状態で係合させ、ループリングが水平面内に位置するシャープスタイルの遮蔽材に本発明のガイドリングを用いる場合には、遊挿リング部を嵌入リング部に第２係合状態で係合させる。これにより嵌入リング部をループリングに嵌入した状態で、遊挿リング部に昇降コードをスムーズに遊挿できる。この結果、本発明のガイドリングを、部品を増やさずに、ループリングが鉛直面内に位置するプレーンスタイルの遮蔽材とループリングが水平面内に位置するシャープスタイルの遮蔽材の両方に兼用できる。一方、上記のように遮蔽材に沿うようにガイドリングにて案内された昇降コードの通常の昇降動作時に、遊挿リング部が嵌入リング部から容易に離脱しない。また、上記昇降コードを遮蔽材から離す方向の所定値以上の荷重が昇降コードに作用したときに、遊挿リング部が嵌入リング部から速やかに離脱する。この結果、ローマンシェードの構成部品の損傷を防止できるとともに、昇降コードに接触した子供や老人等を速やかに解放できる。
【００１２】
本発明の第２の観点のガイドリングでは、凹状体の周壁に９０度間隔に形成された４つの被係止孔に、円柱体の一対の係止突起を選択的に係止させることにより、係合部を、遊挿リング部を含む平面が、嵌入リング部を含む平面に対して、嵌入リング部及び遊挿リング部の各リング孔の中央を通る直線を中心に回転し、両平面が一致する第１係合状態と、両平面が直交する第２係合状態とに切換えることができる。この結果、上記と同様に、本発明のガイドリングを、部品を増やさずに、ループリングが鉛直面内に位置するプレーンスタイルの遮蔽材とループリングが水平面内に位置するシャープスタイルの遮蔽材の両方に兼用できるとともに、遮蔽材に沿うようにガイドリングにて案内された昇降コードの通常の昇降動作時に、遊挿リング部が嵌入リング部から容易に離脱しないけれども、昇降コードを遮蔽材から離す方向の所定値以上の荷重が昇降コードに作用したときに、遊挿リング部が嵌入リング部から速やかに離脱する。
【００１３】
本発明の第３の観点のガイドリングでは、円柱体を半月状の一対のブロックに分割する切欠き部を形成し、この切欠き部に一対の係止突起の合計高さ以上の幅を有する隙間を形成したので、４つの被係止孔に選択的に係止した一対の係止突起がこれらの被係止孔から離脱するときに、一対の係止突起が凹状体の周壁内面に押されて、切欠き部の隙間が狭くなる方向に遊挿リング部が弾性変形する。このとき切欠き部の隙間が一対の係止突起の凹状体の周壁内面に押される変形量を全て吸収するので、一対の係止突起が被係止孔から速やかに離脱する。この結果、昇降コードを遮蔽材から離す方向の所定値以上の荷重が昇降コードに作用したときに、遊挿リング部が嵌入リング部から速やかに離脱する。
【図面の簡単な説明】
【００１４】
【図１】ループリングが鉛直面内に位置するプレーンスタイルの遮蔽材に本発明実施形態のガイドリングを用いたときに、このガイドリングの遊挿リング部に遊挿された昇降コードを遮蔽材から離す方向の所定値以上の荷重が昇降コードに作用して遊挿リング部が嵌入リング部から離脱する前後の状態を示す図５のＡ−Ａ線断面図である。
【図２】図１のＢ−Ｂ線断面図である。
【図３】プレーンスタイルの遮蔽材にガイドリングを用いるために、遊挿リング部を嵌入リング部に第１係合状態で係合させたガイドリングの斜視図である。
【図４】遊挿リング部が嵌入リング部から離脱した状態を示すガイドリングの斜視図である。
【図５】プレーンスタイルの遮蔽材にガイドリングを用いたローマンシェードの斜視図である。
【図６】ループリングが水平面内に位置するシャープスタイルの遮蔽材に本発明実施形態のガイドリングを用いたときに、このガイドリングの遊挿リング部に遊挿された昇降コードを遮蔽材から離す方向の所定値以上の荷重が昇降コードに作用して遊挿リング部が嵌入リング部から離脱する前後の状態を示す図９のＣ−Ｃ線断面図である。
【図７】図６のＤ−Ｄ線断面図である。
【図８】シャープスタイルの遮蔽材にガイドリングを用いるために、遊挿リング部を嵌入リング部に第２係合状態で係合させたガイドリングの斜視図である。
【図９】シャープスタイルの遮蔽材にガイドリングを用いたローマンシェードの斜視図である。
【発明を実施するための形態】
【００１５】
次に本発明を実施するための形態を図面に基づいて説明する。図５及び図９に示すように、ローマンシェード１０，５０は、図示しない固定用ブラケットを介して部屋の壁面や天井に取付けられたヘッドレール１２と、このヘッドレール１２に上端が取付けられヘッドレール１２の長さと略同一の幅を有し遮蔽材１１，２１と、ヘッドレール１２から昇降可能に垂下されてその下端が遮蔽材１１の下部に連結された昇降コード１３とを備える。上記遮蔽材１１，２１は、生地やスクリーン等により形成される。
【００１６】
図５に示すローマンシェード１０は、プレーンスタイルの遮蔽材１１を備える。このプレーンスタイルの遮蔽材１１の背面には、水平方向に所定の間隔をあけかつ鉛直方向に延びる複数のテープ１１ａが縫い付けられ、これらのテープ１１ａに鉛直方向に所定の間隔をあけてループリング１１ｂ（図１）がそれぞれ設けられる。上記複数のテープ１１ａはヘッドレール１２内の後述するコード挿通部材１４から垂下された昇降コード１３に対向するように遮蔽材１１の背面に縫い付けられる。また上記ループリング１１ｂは鉛直面内に位置するように形成される、即ち鉛直面内で湾曲する輪が形成される。一方、図９に示すローマンシェード２１は、シャープスタイルの遮蔽材２１を備える。このシャープスタイルの遮蔽材２１の背面には、鉛直方向に所定の間隔をあけかつ水平方向に延びる複数のテープ２１ａが縫い付けられ、これらのテープ２１ａのうち昇降コード１３と立体交差する部分にループリング２１ｂ（図６）がそれぞれ設けられる。これらのループリング２１ｂは、水平面内に位置するように形成される、即ち水平面内で湾曲する輪が形成される。
【００１７】
ヘッドレール１２はアルミニウム合金等の金属の押出し成形又は引抜き成形により作られたレール本体１２ａと、レール本体１２ａの両端部に設けられた蓋体１２ｂを有する（図５及び図９）。ヘッドレール１２の内部空間には、複数のコード挿通部材１４がヘッドレール１２の長手方向の任意の位置に収容される。また、ヘッドレール１２の内部空間には、コード挿通部材１４の数に相応する本数の昇降コード１３が挿通され、これらの昇降コード１３の一端部は、対応する所定のコード挿通部材１４から遮蔽材１１の背面に沿って垂下される。なお、図５及び図９中の符号１６は、遮蔽材１１の下縁に設けられたウエイトバーである。
【００１８】
一方、テープ１１ａに沿って又はテープ２１ａ毎に鉛直方向に所定の間隔をあけて設けられた複数のループリング１１ｂ，２１ｂ（図１及び図６）のうち最下端のループリングを除く複数のループリングには、昇降コード１３を案内するガイドリング３０が取付けられ、最下端のループリングにはコード係止具４０が取付けられる（図５及び図９）。上記ガイドリング３０は、ループリング１１ｂ，２１ｂに嵌入される嵌入リング部３１と、昇降コード１３が遊挿される遊挿リング部３２と、遊挿リング部３２を嵌入リング部３１に離脱可能に係合させる係合部３３とを備える。
【００１９】
係合部３３は、遊挿リング部３２と一体的に設けられた円柱体３４と、嵌入リング部３１と一体的に設けられた凹状体３５とを有する。この凹状体３５には、円柱体３４を収容可能な円柱状の凹部３５ａが形成され、凹状体３５の周壁外面には、この凹状体３５の軸線を中心として９０度間隔に４つの被係止孔３５ｂがそれぞれ形成される。また円柱体３４の外周面には、４つの被係止孔３５ｂに選択的にかつ離脱可能に係止する一対の係止突起３４ａ，３４ａが形成される。上記被係止孔３５ｂは円形に形成され、上記係止突起３４ａは略半球状に形成される。これにより係合部３３は、遊挿リング部３２を含む平面が、嵌入リング部３１を含む平面に対して、嵌入リング部３１及び遊挿リング部３２の各リング孔の中央を通る直線を中心に回転し、両平面が一致する第１係合状態（図１〜図３）と、両平面が直交する第２係合状態（図６〜図８）とに切換え可能に構成される。
【００２０】
また円柱体３４には、この円柱体３４を半月状の一対のブロックに分割する切欠き部３４ｂが形成される。この切欠き部３４ｂは、一対の係止突起３４ａ，３４ａが一対のブロックの円弧面中央にそれぞれ位置し、かつ円柱体３４に接続された遊挿リング部３２の基端が切り離されるように、円柱体３４に形成される。更に切欠き部３４ｂには、一対の係止突起３４ａ，３４ａの合計高さ以上の幅を有する隙間３４ｃが形成される。具体的には、図２及び図７に示すように、一対の係止突起３４ａ，３４ａの高さをそれぞれＨとし、切欠き部３４ｂの隙間３４ｃの幅をＷとするとき、Ｗ≧２Ｈという関係を満たすように、切欠き部３４ｂの隙間３４ｃの幅が設定される。なお、図１、図３、図４、図６及び図８中の符号３１ａは、嵌入リング部３１をループリング１１ｂに嵌入するために嵌入リング部３１の一部を切欠いて形成された差込口である。この差込口３１ａは、嵌入リング部３１をループリング１１ｂに容易に嵌入できるけれども、一旦ループリング１１ｂに嵌入された嵌入リング部３１はループリング１１ｂから容易に離脱できないようになっている。また、上記嵌入リング部３１及び円柱体３４は、ポリカーボネート等のプラスチックにより一体的に形成され、上記遊挿リング部３２及び凹状体３５は、ポリカーボネート等のプラスチックにより一体的に形成される。
【００２１】
最下端のループリングに取付けられたコード係止具４０（図５及び図９）は、図示しないが最下端のループリングに取付けられた第１部材と、昇降コード１３の一端を係止させる第２部材と、第１部材及び第２部材を離脱可能に結合する結合部材とを有する。そして昇降コード１３に所定値以上の荷重が作用したときに、第１部材が第２部材から離脱して昇降コード１３の一端部を遮蔽体１１，２１から離脱させるように構成される。
【００２２】
一方、ヘッドレール１２の内部空間に挿通された複数の昇降コード１３の他端部は、ヘッドレール１２の内部空間を一方（図５及び図９では左方向）に導かれて、ヘッドレール１２の端部に設けられた停止手段であるストッパ（図示せず）に挿通された後、ヘッドレール１２の端部から垂下されて操作つまみ４１に連結される。このストッパは、操作つまみ４１が設けられた側（操作つまみ４１側）の昇降コード１３の上昇をそれぞれ禁止又は許容するように構成される。具体的には、ストッパは、操作つまみ４１側の昇降コード１３を下降させた後に上昇させるとその操作つまみ４１側の昇降コード１３の上昇を禁止し、この上昇が禁止された操作つまみ４１側の昇降コード１３を一旦下降させると再びその昇降コード１３の上昇を許容するように構成される。ここで、図５及び図９中の符号４１ａは操作つまみ４１を遮蔽材１１，２１の下端に連結する連結紐である。
【００２３】
ヘッドレール１２に内蔵されたコード挿通部材１４から垂下された昇降コード１３の一端側は、遮蔽材１１の背面にループリング１１ｂ，２１ｂを介して取付けられた複数のガイドリング３０の遊挿リング部３２に挿通されて鉛直下方に配索された後、遮蔽材１１，２１の下端にループリングを介して取付けられたコード係止具４０に連結される（図５及び図９）。これにより操作つまみ４１側の昇降コード１３を上昇させると、ヘッドレール１２のコード挿通部材１４から垂下されて遮蔽材１１，２１に連結された側（遮蔽材１１，２１側）の昇降コード１３が下降し、逆に操作つまみ４１側の昇降コード１３を下降させると、遮蔽材１１，２１側の昇降コード１３が上昇して遮蔽材１１，２１をたくし上げ折畳むことができるようになっている。
【００２４】
このように構成された遮蔽材１１，２１の昇降コード１３用ガイドリング３０の使用方法を説明する。ガイドリング３０をプレーンスタイルの遮蔽材１１（図５）に取付ける場合、遊挿リング部３２を含む平面が、嵌入リング部３１を含む平面に対して、嵌入リング部３１及び遊挿リング部３２の各リング孔の中央を通る直線を中心に回転し、両平面が一致する第１係合状態（図１〜図３）で係合するように、遊挿リング部３２の向きを嵌入リング部３１の向きに合せた状態で（図４）、ガイドリング３０の凹状体３５の凹部３５ａに円柱体３４を挿入して、４つの被係止孔３５ｂに一対の係止突起３４ａ，３４ａを選択的に係止する（図２）。なお、凹状体３５の凹部３５ａに円柱体３４を挿入するとき、一対の係合突起３４ａ，３４ａが凹状体３５の凹部３５ａ内周面に押されて円柱体３４の切欠き部３４ｂの隙間３４ｃが小さくなる方向に遊挿リング部３２が弾性変形するので、円柱体３４を凹状体３５の凹部３５ａにスムーズに挿入できるとともに、係止突起３４ａを被係止孔３５ｂにスムーズに係止できる。このように組立てられたガイドリング３０の嵌入リング部３１を、プレーンスタイルの遮蔽材１１の背面に設けられた複数のループリング１１ｂのうち最下端のループリングを除く複数のループリング１１ｂに、嵌入リング部３１の差込口３１ａからそれぞれ嵌入する。このときループリング１１ｂが鉛直面内に位置するため、ガイドリング３０の嵌入リング部３１及び遊挿リング部３２は水平面内に位置する（図１）。これにより鉛直方向に延びる昇降コード１３を、遮蔽材１１の背面に鉛直方向に所定の間隔をあけて取付けられた複数のガイドリング３０の遊挿リング部３２にスムーズに遊挿できる。そして昇降コード１３の一端部を、最下端のループリングに取付けられたコード係止具４０に係止させる。
【００２５】
一方、ガイドリング３０をシャープスタイルの遮蔽材２１（図９）に取付ける場合、遊挿リング部３２を含む平面が、嵌入リング部３１を含む平面に対して、嵌入リング部３１及び遊挿リング部３２の各リング孔の中央を通る直線を中心に回転し、両平面が直交する第２係合状態（図６〜図８）で係合するように、遊挿リング部３２の向きを嵌入リング部３１の向きに対して直交させた状態で、ガイドリング３０の凹状体３５の凹部３５ａに円柱体３４を挿入して、４つの被係止孔３５ｂに一対の係止突起３４ａ，３４ａを選択的に係止する（図７）。なお、凹状体３５の凹部３５ａに円柱体３４を挿入するとき、一対の係合突起３４ａ，３４ａが凹状体３５の凹部３５ａ内周面に押されて円柱体３４の切欠き部３４ｂの隙間が小さくなる方向に遊挿リング部３２が弾性変形するので、円柱体３４を凹状体３５の凹部３５ａにスムーズに挿入できるとともに、係止突起３４ａを被係止孔３５ｂにスムーズに係止できる。このように組立てられたガイドリング３０の嵌入リング部３１を、シャープスタイルの遮蔽材２１の背面に設けられた複数のループリング２１ｂのうち最下端のループリングを除く複数のループリング２１ｂに、嵌入リング部３１の差込口３１ａからそれぞれ嵌入する。このときループリング２１ｂが水平面内に位置するため、ガイドリング３０の嵌入リング部３１は鉛直面内に位置し遊挿リング部３２は水平面内に位置する（図１）。これにより鉛直方向に延びる昇降コード１３を、遮蔽材２１の背面に鉛直方向に所定の間隔をあけて取付けられた複数のガイドリング３０の遊挿リング部３２にスムーズに遊挿できる。そして昇降コード１３の一端部を、最下端のループリング２１ｂに取付けられたコード係止具４０に係止させる。
【００２６】
このようにガイドリング３０の係合部３３を、遊挿リング部３２を含む平面が、嵌入リング部３１を含む平面に対して、嵌入リング部３１及び遊挿リング部３２の各リング孔の中央を通る直線を中心に回転し、両平面が一致する第１係合状態と、両平面が直交する第２係合状態とに切換えることができるので、ガイドリング３０を、部品を増やさずに、ループリング１１ｂが鉛直面内に位置するプレーンスタイルの遮蔽材１１と、ループリング２１ｂが水平面内に位置するシャープスタイルの遮蔽材２１の両方に兼用できる。
【００２７】
一方、遮蔽材１１，２１の背面に沿うようにガイドリング３０にて案内された昇降コード１３の通常の昇降動作時には、遊挿リング部３２が嵌入リング部３１から容易に離脱しない。また、上記昇降コード１３を遮蔽材１１，２１から離す方向の所定値以上の荷重が昇降コード１３に作用したときには、遊挿リング部３２が嵌入リング部３１から速やかに離脱する。即ち、４つの被係止孔３５ｂに選択的に係止した一対の係止突起３４ａ，３４ａがこれらの被係止孔３５ｂから離脱するとき、一対の係止突起３４ａ，３４ａが凹状体３５の周壁内面に押されて、切欠き部３４ｂの隙間３４ｃが狭くなる方向に遊挿リング部３２が弾性変形する。このとき図２及び図７に示すように、一対の係止突起３４ａ，３４ａの高さＨと切欠き部３４ｂの隙間３４ｃの幅Ｗが、Ｗ≧２Ｈという関係を満たすので、切欠き部３４ｂの隙間３４ｃが一対の係止突起３４ａ，３４ａの凹状体３５の周壁内面に押される変形量を全て吸収し、一対の係止突起３４ａ，３４ａが被係止孔３５ｂから速やかに離脱する。この結果、遊挿リング部３２が嵌入リング部３１から速やかに離脱する。従って、ローマンシェード１０，２１の構成部品の損傷を防止できるとともに、昇降コード１３に接触した子供や老人等を速やかに解放できる。
【００２８】
なお、上記実施の形態では、係合部の円柱体を遊挿リング部と一体的に設け、凹状体を嵌入リング部と一体的に設けたが、円柱体を嵌入リング部と一体的に設け、凹状体を遊挿リング部と一体的に設けてもよい。
【符号の説明】
【００２９】
１０，２０  ローマンシェード
１１  プレーンスタイルの遮蔽体
１１ｂ，２１ｂ  ループリング
１３  昇降コード
２１  シャープスタイルの遮蔽体
３０  ガイドリング
３１  嵌入リング部
３２  遊挿リング部
３３  係合部
３４  円柱体
３４ａ  係止突起
３４ｂ  切欠き部
３４ｃ  切欠き部の隙間
３５  凹状体
３５ａ  凹部
３５ｂ  被係止孔
【図１】
2015202299.tif 000003
【図２】
2015202299.tif 000004
【図３】
2015202299.tif 000005
【図４】
2015202299.tif 000006
【図５】
2015202299.tif 000007
【図６】
2015202299.tif 000008
【図７】
2015202299.tif 000009
【図８】
2015202299.tif 000010
【図９】
2015202299.tif 000011